(57)【要約】      （修正有）【課題】薄肉ヒンジの破損や断裂の発生を抑制して耐衝撃性の向上を図る。【解決手段】カートリッジが挿入されて配置されるケース部と、ケース部に対して開閉され閉塞時においてケース部に配置されたカートリッジを覆う蓋部と、ケース部と蓋部を連結する背板部４とを備え、ケース部と蓋部と背板部４が一体に形成され、蓋部のケース部に対する開閉動作が行われるときの屈曲部分として平行な一対の薄肉ヒンジ３０が設けられ、一方の薄肉ヒンジ３０が背板部４とケース部の連続部分に対してずれた位置に形成され、他方の薄肉ヒンジ３０が背板部４と蓋部の連続部分に対してずれた位置に形成された。【選択図】図８
2014097817.tif 000002
【特許請求の範囲】
【請求項１】
カートリッジが挿入されて配置されるケース部と、
前記ケース部に対して開閉され閉塞時において前記ケース部に配置された前記カートリッジを覆う蓋部と、
前記ケース部と前記蓋部を連結する背板部とを備え、
前記ケース部と前記蓋部と前記背板部が一体に形成され、
前記蓋部の前記ケース部に対する開閉動作が行われるときの屈曲部分として平行な一対の薄肉ヒンジが設けられ、
一方の前記薄肉ヒンジが前記背板部と前記ケース部の連続部分に対してずれた位置に形成され、
他方の前記薄肉ヒンジが前記背板部と前記蓋部の連続部分に対してずれた位置に形成された
カートリッジ収納ケース。
【請求項２】
前記一対の薄肉ヒンジが前記背板部に形成された
請求項１に記載のカートリッジ収納ケース。
【請求項３】
前記背板部の外面における一対の薄肉ヒンジが延びる方向の両端部に、それぞれ外方へ突出された補強用突部が設けられた
請求項２に記載のカートリッジ収納ケース。
【請求項４】
前記背板部における一対の薄肉ヒンジが延びる方向の両端部に、それぞれ薄肉ヒンジの延長線上に位置する切欠部が形成された
請求項２に記載のカートリッジ収納ケース。
【請求項５】
前記ケース部に、ベース板部と前記ベース板部の外周寄りの部分の少なくとも一部から突出された立壁部と前記ベース板部の外周部の一部から前記立壁部と同じ方向へ突出されたリブ部とが設けられ、
前記蓋部に、前記閉塞時において前記ベース板部に対向して位置される閉塞面部と前記閉塞面部の外周部の少なくとも一部から突出された囲い壁部とが設けられ、
前記閉塞時において前記立壁部と前記リブ部の間に前記囲い壁部が嵌合されるようにした
請求項１に記載のカートリッジ収納ケース。
【請求項６】
前記ケース部又は前記蓋部の一方に係合突部又は係合凹部を有するロック片部が設けられ、
前記ケース部又は前記蓋部の他方に前記閉塞時において前記係合突部又は前記係合凹部が係合される係合凹部又は係合突部が設けられた
請求項１に記載のカートリッジ収納ケース。
【請求項７】
前記ケース部に、弾性変形された状態で前記カートリッジを押さえる弾性変形部が設けられた
請求項１に記載のカートリッジ収納ケース。
【請求項８】
前記弾性変形部が少なくとも三つ設けられ、
前記カートリッジの外周面における異なる方向を向く面が前記各弾性変形部によって押さえられるようにした
請求項７に記載のカートリッジ収納ケース。
【請求項９】
前記ケース部に、ベース板部と前記ベース板部の外周寄りの部分の少なくとも一部から突出された立壁部と前記立壁部に連続され前記ベース板部に対向する押さえ面部とが設けられ、
前記カートリッジが前記押さえ面部によって前記ベース板部側に押さえられるようにした
請求項１に記載のカートリッジ収納ケース。
【請求項１０】
前記ケース部にベース板部が設けられ、
前記蓋部に前記閉塞時において前記ベース板部に対向して位置される閉塞面部が設けられ、
前記閉塞面部に前記閉塞時において前記カートリッジを押さえる押さえ突部が設けられた
請求項１に記載のカートリッジ収納ケース。
【発明の詳細な説明】
【技術分野】
【０００１】
本技術はカートリッジ収納ケースについての技術分野に関する。詳しくは、カートリッジを収納し一対の薄肉ヒンジが支点とされて回動されて開閉動作が行われるカートリッジ収納ケースについての技術分野に関する。
【先行技術文献】
【特許文献】
【０００２】
【特許文献１】特開２０００−２３８８８２号公報
【背景技術】
【０００３】
カートリッジには、例えば、複数のディスク状記録媒体が中心軸の軸方向において並んで内部に収納可能とされたものがある。このようなカートリッジは、例えば、音楽再生用のディスク再生装置に用いられ、所望のディスク状記録媒体が取出機構によって取り出されてディスク状記録媒体に記録されている音楽データーの再生が行われる。
【０００４】
また、近年、ディスク状記録媒体の記録容量の飛躍的な増大が図られ、記録容量の大きな複数のディスク状記録媒体が中心軸の軸方向において並んで収納可能とされデーターセンター等において用いられるカートリッジの必要性も高まっている。
【０００５】
上記のようなカートリッジは、例えば、カートリッジ収納ケースに収納されて保存される。
【０００６】
このようなカートリッジ収納ケースには、カートリッジが挿入されて配置されるケース部と、ケース部に対して開閉され閉塞時においてケース部に配置されたカートリッジを覆う蓋部と、ケース部と蓋部を連結する背板部とを有し、これらの各部が一体に形成されたものがある（例えば、特許文献１参照）。
【０００７】
特許文献１に記載されたカートリッジ収納ケースにあっては、ケース部（ケース本体）と蓋部（蓋体）が背板部（背板片）にそれぞれ一対の薄肉ヒンジ（ヒンジ部）を介して連結され、一方の薄肉ヒンジを介してケース部に対して背板部が回動可能とされると共に他方の薄肉ヒンジを介して蓋部が背板部に対して回動可能とされている。
【０００８】
カートリッジ収納ケースにあっては、ケース部にカートリッジが挿入されて配置された状態において、背板部をケース部に対して回動させ蓋部を背板部に対して回動させて蓋部によってカートリッジを覆うことにより、内部にカートリッジを収納することができる。
【発明の概要】
【発明が解決しようとする課題】
【０００９】
ところが、特許文献１に記載されたカートリッジ収納ケースにあっては、ケース部と背板部の連続部分（稜線）に一方の薄肉ヒンジが設けられ、蓋部と背板部の連続部分（稜線）に他方の薄肉ヒンジが設けられ、各薄肉ヒンジがそれぞれ角部に位置されている。
【００１０】
従って、カートリッジ収納ケースが落下したときに角部に設けられた薄肉ヒンジが落下面に衝突し易く、薄肉ヒンジに大きな衝撃が付与されて薄肉ヒンジの破損や断裂を生じ易く、耐衝撃性が低いと言う問題がある。
【００１１】
そこで、本技術カートリッジ収納ケースは、上記した問題点を克服し、薄肉ヒンジの破損や断裂の発生を抑制して耐衝撃性の向上を図ることを課題とする。
【課題を解決するための手段】
【００１２】
第１に、カートリッジ収納ケースは、上記した課題を解決するために、カートリッジが挿入されて配置されるケース部と、前記ケース部に対して開閉され閉塞時において前記ケース部に配置された前記カートリッジを覆う蓋部と、前記ケース部と前記蓋部を連結する背板部とを備え、前記ケース部と前記蓋部と前記背板部が一体に形成され、前記蓋部の前記ケース部に対する開閉動作が行われるときの屈曲部分として平行な一対の薄肉ヒンジが設けられ、一方の前記薄肉ヒンジが前記背板部と前記ケース部の連続部分に対してずれた位置に形成され、他方の前記薄肉ヒンジが前記背板部と前記蓋部の連続部分に対してずれた位置に形成されたものである。
【００１３】
従って、カートリッジ収納ケースにあっては、落下時に薄肉ヒンジが落下面に衝突し難くなる。
【００１４】
第２に、上記したカートリッジ収納ケースにおいては、前記一対の薄肉ヒンジが前記背板部に形成されることが望ましい。
【００１５】
一対の薄肉ヒンジが背板部に形成されることにより、薄肉ヒンジが載置面に接触することがない。
【００１６】
第３に、上記したカートリッジ収納ケースにおいては、前記背板部の外面における一対の薄肉ヒンジが延びる方向の両端部に、それぞれ外方へ突出された補強用突部が設けられることが望ましい。
【００１７】
背板部の外面における一対の薄肉ヒンジが延びる方向の両端部に、それぞれ外方へ突出された補強用突部が設けられることが望ましい。
【００１８】
背板部の外面における一対の薄肉ヒンジが延びる方向の両端部に、それぞれ外方へ突出された補強用突部が設けられることにより、薄肉ヒンジが落下面に衝突し難い。
【００１９】
第４に、上記したカートリッジ収納ケースにおいては、前記背板部における一対の薄肉ヒンジが延びる方向の両端部に、それぞれ薄肉ヒンジの延長線上に位置する切欠部が形成されることが望ましい。
【００２０】
背板部における一対の薄肉ヒンジが延びる方向の両端部に、それぞれ薄肉ヒンジの延長線上に位置する切欠部が形成されることにより、背板部の両端が落下面に衝突した場合においても薄肉ヒンジが落下面に衝突することがない。
【００２１】
第５に、上記したカートリッジ収納ケースにおいては、前記ケース部に、ベース板部と前記ベース板部の外周寄りの部分の少なくとも一部から突出された立壁部と前記ベース板部の外周部の一部から前記立壁部と同じ方向へ突出されたリブ部とが設けられ、前記蓋部に、前記閉塞時において前記ベース板部に対向して位置される閉塞面部と前記閉塞面部の外周部の少なくとも一部から突出された囲い壁部とが設けられ、前記閉塞時において前記立壁部と前記リブ部の間に前記囲い壁部が嵌合されるようにすることが望ましい。
【００２２】
閉塞時において立壁部とリブ部の間に囲い壁部が嵌合されるようにすることにより、カートリッジ収納ケースの剛性が高くなる。
【００２３】
第６に、上記したカートリッジ収納ケースにおいては、前記ケース部又は前記蓋部の一方に係合突部又は係合凹部を有するロック片部が設けられ、前記ケース部又は前記蓋部の他方に前記閉塞時において前記係合突部又は前記係合凹部が係合される係合凹部又は係合突部が設けられることが望ましい。
【００２４】
ケース部又は蓋部の一方に係合突部又は係合凹部を有するロック片部が設けられ、ケース部又は蓋部の他方に閉塞時において係合突部又は係合凹部が係合される係合凹部又は係合突部が設けられることにより、ロック片部によって蓋部がケース部にロックされる。
【００２５】
第７に、上記したカートリッジ収納ケースにおいては、前記ケース部に、弾性変形された状態で前記カートリッジを押さえる弾性変形部が設けられることが望ましい。
【００２６】
ケース部に、弾性変形された状態でカートリッジを押さえる弾性変形部が設けられることにより、弾性変形部が弾性変形されてケース体に押し付けられる。
【００２７】
第８に、上記したカートリッジ収納ケースにおいては、前記弾性変形部が少なくとも三つ設けられ、前記カートリッジの外周面における異なる方向を向く面が前記各弾性変形部によって押さえられるようにすることが望ましい。
【００２８】
弾性変形部が少なくとも三つ設けられ、カートリッジの外周面における異なる方向を向く面が各弾性変形部によって押さえられるようにすることにより、少なくとも三つの弾性変形部が弾性変形されてケース体に押し付けられる。
【００２９】
第９に、上記したカートリッジ収納ケースにおいては、前記ケース部に、ベース板部と前記ベース板部の外周寄りの部分の少なくとも一部から突出された立壁部と前記立壁部に連続され前記ベース板部に対向する押さえ面部とが設けられ、前記カートリッジが前記押さえ面部によって前記ベース板部側に押さえられるようにすることが望ましい。
【００３０】
ケース部に、ベース板部とベース板部の外周寄りの部分の少なくとも一部から突出された立壁部と立壁部に連続されベース板部に対向する押さえ面部とが設けられ、カートリッジが押さえ面部によってベース板部側に押さえられるようにすることにより、カートリッジがケース部において安定した状態で配置される。
【００３１】
第１０に、上記したカートリッジ収納ケースにおいては、前記ケース部にベース板部が設けられ、前記蓋部に前記閉塞時において前記ベース板部に対向して位置される閉塞面部が設けられ、前記閉塞面部に前記閉塞時において前記カートリッジを押さえる押さえ突部が設けられることが望ましい。
【００３２】
ケース部にベース板部が設けられ、蓋部に閉塞時においてベース板部に対向して位置される閉塞面部が設けられ、閉塞面部に閉塞時においてカートリッジを押さえる押さえ突部が設けられることにより、カートリッジがケース部において安定した状態で配置される。
【発明の効果】
【００３３】
本技術カートリッジ収納ケースは、カートリッジが挿入されて配置されるケース部と、前記ケース部に対して開閉され閉塞時において前記ケース部に配置された前記カートリッジを覆う蓋部と、前記ケース部と前記蓋部を連結する背板部とを備え、前記ケース部と前記蓋部と前記背板部が一体に形成され、前記蓋部の前記ケース部に対する開閉動作が行われるときの屈曲部分として平行な一対の薄肉ヒンジが設けられ、一方の前記薄肉ヒンジが前記背板部と前記ケース部の連続部分に対してずれた位置に形成され、他方の前記薄肉ヒンジが前記背板部と前記蓋部の連続部分に対してずれた位置に形成されている。
【００３４】
従って、薄肉ヒンジが落下面に衝突し難く、薄肉ヒンジに衝撃が付与され難いため、薄肉ヒンジの破損や断裂を生じ難く、耐衝撃性の向上を図ることができる。
【００３５】
請求項２に記載した技術にあっては、前記一対の薄肉ヒンジが前記背板部に形成されている。
【００３６】
従って、薄肉ヒンジが載置面に接触することがなく、その分、薄肉ヒンジに衝撃が付与され難く、薄肉ヒンジの破損や断裂を生じ難く、特に、耐衝撃性の向上を図ることができる。
【００３７】
請求項３に記載した技術にあっては、前記背板部の外面における一対の薄肉ヒンジが延びる方向の両端部に、それぞれ外方へ突出された補強用突部が設けられている。
【００３８】
従って、薄肉ヒンジが落下面に衝突し難く、薄肉ヒンジの損傷や断裂の発生を抑制することができる。
【００３９】
請求項４に記載した技術にあっては、前記背板部における一対の薄肉ヒンジが延びる方向の両端部に、それぞれ薄肉ヒンジの延長線上に位置する切欠部が形成されている。
【００４０】
従って、カートリッジ収納ケースの落下時に背板部の両端が落下面に衝突した場合においても薄肉ヒンジが落下面に衝突することがなく、薄肉ヒンジの損傷や断裂の発生を抑制することができる。
【００４１】
請求項５に記載した技術にあっては、前記ケース部に、ベース板部と前記ベース板部の外周寄りの部分の少なくとも一部から突出された立壁部と前記ベース板部の外周部の一部から前記立壁部と同じ方向へ突出されたリブ部とが設けられ、前記蓋部に、前記閉塞時において前記ベース板部に対向して位置される閉塞面部と前記閉塞面部の外周部の少なくとも一部から突出された囲い壁部とが設けられ、前記閉塞時において前記立壁部と前記リブ部の間に前記囲い壁部が嵌合されるようにしている。
【００４２】
従って、蓋部のケース部に対する良好な閉塞状態が確保されると共に蓋部の囲い壁部がケース部の立壁部に厚み方向において接した状態とされるため、カートリッジ収納ケースの剛性が高く、カートリッジ収納ケースに衝撃が付与されたときに衝撃による変形が抑制され耐衝撃性の向上を図ることができる。
【００４３】
請求項６に記載した技術にあっては、前記ケース部又は前記蓋部の一方に係合突部又は係合凹部を有するロック片部が設けられ、前記ケース部又は前記蓋部の他方に前記閉塞時において前記係合突部又は前記係合凹部が係合される係合凹部又は係合突部が設けられている。
【００４４】
従って、ロック片部によって蓋部がケース部にロックされるため、落下衝撃等によって蓋部が容易に開放されることがなく、カートリッジ収納ケースの耐衝撃性の向上を図ることができる。
【００４５】
請求項７に記載した技術にあっては、前記ケース部に、弾性変形された状態で前記カートリッジを押さえる弾性変形部が設けられている。
【００４６】
従って、カートリッジがケース部にガタつくことなく安定した状態で配置され、カートリッジ収納ケースの内部におけるカートリッジの変位が抑制され、ケース部にカートリッジから振動や衝撃が付与され難く、カートリッジ収納ケースの破損や損傷を防止することができる。
【００４７】
請求項８に記載した技術にあっては、前記弾性変形部が少なくとも三つ設けられ、前記カートリッジの外周面における異なる方向を向く面が前記各弾性変形部によって押さえられるようにしている。
【００４８】
従って、カートリッジ収納ケースの内部におけるカートリッジの変位が抑制され、ケース部にカートリッジから振動や衝撃が付与され難く、カートリッジ収納ケースの破損や損傷を防止することができる。
【００４９】
請求項９に記載した技術にあっては、前記ケース部に、ベース板部と前記ベース板部の外周寄りの部分の少なくとも一部から突出された立壁部と前記立壁部に連続され前記ベース板部に対向する押さえ面部とが設けられ、前記カートリッジが前記押さえ面部によって前記ベース板部側に押さえられるようにしている。
【００５０】
従って、カートリッジがケース部において安定した状態で配置され、カートリッジ収納ケースの内部におけるカートリッジの変位が抑制され、カートリッジ収納ケースの破損や損傷を防止することができる。
【００５１】
請求項１０に記載した技術にあっては、前記ケース部にベース板部が設けられ、前記蓋部に前記閉塞時において前記ベース板部に対向して位置される閉塞面部が設けられ、前記閉塞面部に前記閉塞時において前記カートリッジを押さえる押さえ突部が設けられている。
【００５２】
従って、カートリッジがケース部において安定した状態で配置され、カートリッジ収納ケースの内部におけるカートリッジの変位が抑制され、カートリッジ収納ケースの破損や損傷を防止することができる。
【図面の簡単な説明】
【００５３】
【図１】図２乃至図２１と共に本技術カートリッジ収納ケースの実施の形態を示すものであり、本図は、カートリッジ収納ケースに収納されるカートリッジの斜視図である。
【図２】カートリッジ収納ケースの斜視図である。
【図３】図２とは別の方向から見た状態で示すカートリッジ収納ケースの斜視図である。
【図４】カートリッジ収納ケースの開放状態を示す斜視図である。
【図５】ケース部の平面図である。
【図６】ロック片部を示す拡大断面図である。
【図７】主に蓋部の側面部を示す拡大断面図である。
【図８】主に背板部を示す拡大断面図である。
【図９】薄肉ヒンジを支点として各部が回動される状態を示す拡大断面図である。
【図１０】図１１乃至図１７と共にカートリッジの収納動作を示すものであり、本図は、カートリッジがケース部に挿入される前の状態を示す斜視図である。
【図１１】カートリッジがケース部に挿入されている途中の状態を示す斜視図である。
【図１２】カートリッジがケース部に挿入されて配置された状態を示す斜視図である。
【図１３】ケース部に配置されたカートリッジが第１の弾性変形部によって押さえられた状態を示す断面図である。
【図１４】ケース部に配置されたカートリッジが第２の弾性変形部によって押さえられた状態を示す断面図である。
【図１５】ケース部に配置されたカートリッジが蓋部によって閉塞され押さえ部によって押さえられた状態を示す断面図である。
【図１６】ケース部に配置されたカートリッジが蓋部によって閉塞され蓋部がロックされる前の状態を示す断面図である。
【図１７】ロック片部によって蓋部がケース部にロックされた状態を示す断面図である。
【図１８】ケース部と蓋部に薄肉ヒンジが形成された例を示す拡大断面図である。
【図１９】背板部が蓋部に結合されたカートリッジ収納ケースの例を示す斜視図である。
【図２０】カートリッジ収納ケースが落下して角部が落下面に衝突した状態を示す斜視図である。
【図２１】カートリッジ収納ケースが落下して背板部の一端が落下面に衝突した状態を示す斜視図である。
【発明を実施するための形態】
【００５４】
以下に、本技術カートリッジ収納ケースの実施の形態を添付図面に従って説明する。
【００５５】
尚、カートリッジ収納ケースはカートリッジが挿入されて配置されるケース部とケース部に対して開閉される蓋部とを有するが、以下の説明にあっては、蓋部が開放されケース部が机等の載置面に載置された状態において方向を示すこととする。蓋部が開放された状態において蓋部とケース部の並び方向が左右方向とされ、ケース部に対してカートリッジが挿脱される方向が前後方向とされる。
【００５６】
尚、以下に示す前後上下左右の方向は説明の便宜上のものであり、本技術の実施に関しては、これらの方向に限定されることはない。
【００５７】
［カートリッジの構成］
先ず、カートリッジ収納ケースに収納されるカートリッジ５０の構成について説明する（図１参照）。
【００５８】
カートリッジ５０はケース体５１の内部に所要の各部が配置されて成る。ケース体５１の内部には複数のディスク状記録媒体１００、１００、・・・が上下方向に等間隔で収納可能とされている。
【００５９】
ケース体５１は略直方体状に形成され、前後方向における幅Ｈ１は左右方向における幅Ｈ２より稍大きくされ、上下方向における幅（厚み）Ｈ３は幅Ｈ１及び幅Ｈ２より小さくされている。ケース体５１の後端寄りの位置には下方及び側方（外方）に開口された把持部５２、５２が形成されている。
【００６０】
カートリッジ５０は図示しない記録再生装置に装着されるが、記録再生装置に装着されるときに記録再生装置のアームによって把持部５２、５２が把持されて所定の位置に搬送され又は保持される。カートリッジ５０が記録再生装置に装着されると、ケース体５１が開放されて内部に収納されたディスク状記録媒体１００が取出機構によって取り出され、取り出されたディスク状記録媒体１００に対する情報信号の記録又は再生が行われる。
【００６１】
［カートリッジ収納ケースの構成］
次に、カートリッジ収納ケース１の構成について説明する（図２乃至図９参照）。
【００６２】
カートリッジ収納ケース１はケース部２と蓋部３と背板部４が樹脂材料によって一体に形成されて成る（図２乃至図４参照）。カートリッジ収納ケース１の材料としては、例えば、ポリプロピレンやポリエチレン等の透明な樹脂材料が用いられる。カートリッジ収納ケース１が透明材料によって形成されることにより、カートリッジ５０がカートリッジ収納ケース１に収納された状態において、カートリッジ５０の状態やカートリッジ５０に貼付されたラベル等をカートリッジ収納ケース１の外部から視認することができる。
【００６３】
尚、カートリッジ収納ケース１の材料として、不透明な材料又は透明材料と不透明な材料を組み合わせて用いてもよく、カートリッジ５０に貼付されたラベル等に対応する部分のみを透明な材料によって形成することも可能である。
【００６４】
また、カートリッジ収納ケース１の材料として、半透明な材料を用いた場合に、カートリッジ５０に貼付されたラベル等に対応する部分のみの厚みを薄くして外部からのラベル等の視認性を高めるようにすることも可能である。
【００６５】
カートリッジ収納ケース１は、閉塞状態において蓋部３とケース部２が上下で重なり合った状態で結合され（図２及び図３参照）、開放状態において蓋部３とケース部２が左右に並ぶ状態にされる（図４参照）。
【００６６】
ケース部２は上下方向を向く略矩形状に形成されたベース板部５とベース板部５の上面における外周寄りの部分から上方へ突出された立壁部６とベース板部５の右側縁から右方へ突出されたロック片部７とを有している。
【００６７】
ベース板部５の上面における右端部には上方へ突出されたリブ部５ａが設けられ、リブ部５ａは前後方向における中央部に設けられている。ベース板部５の外周部には上方に開口された浅い挿入凹部５ｂが形成されている。挿入凹部５ｂは立壁部６の外周側に形成され、一部が立壁部６とリブ部５ａの間に位置されている。
【００６８】
立壁部６は前側壁部８と後側壁部９と左側壁部１０と右側壁部１１によって枠状に形成されている（図４及び図５参照）。
【００６９】
前側壁部８の左右方向における中央部には略上方へ突出された第１の弾性変形部１２が設けられている。第１の弾性変形部１２は僅かに後方に傾斜されており、上端部に後方へ凸の受部１２ａを有している。第１の弾性変形部１２は受部１２ａが前後方向に変位するように弾性変形可能とされている。第１の弾性変形部１２の受部１２ａと後側壁部９の間の距離Ｌ１はカートリッジ５０のケース体５１の前後方向における幅Ｈ１（図１参照）より僅かに小さくされている。
【００７０】
左側壁部１０と右側壁部１１はそれぞれ前後方向における中央部がそれぞれ他の部分より外側に位置された膨出部１０ａ、１１ａとして設けられている（図４及び図５参照）。左側壁部１０と右側壁部１１の後端寄りの位置にはそれぞれ誤挿入防止突部１０ｂ、１１ｂが設けられている。誤挿入防止突部１０ｂ、１１ｂは互いに近付く方向へ突出されそれぞれ左側壁部１０と右側壁部１１の下端側に位置されている。
【００７１】
右側壁部１１の前後両端寄り位置にはそれぞれ右方に開口された係止凹部１１ｃ、１１ｃが形成されている。
【００７２】
左側壁部１０と右側壁部１１の上側にはそれぞれ第２の弾性変形部１３、１３が設けられている。第２の弾性変形部１３、１３は略前後方向に延び互いに近付く方向へ凸の緩やかな円弧状に形成され、前後両端部がそれぞれ左側壁部１０と右側壁部１１の膨出部１０ａ、１１ａに連続されている。第２の弾性変形部１３、１３の前後方向における中央部には互いに近付く方向へ凸の受部１３ａ、１３ａが設けられている。第２の弾性変形部１３、１３は受部１３ａ、１３ａがそれぞれ左右方向に変位するように弾性変形可能とされている。
【００７３】
第２の弾性変形部１３、１３の受部１３ａ、１３ａ間の距離Ｌ２はカートリッジ５０のケース体５１の左右方向における幅Ｈ２（図１参照）より僅かに小さくされている。
【００７４】
立壁部６の前側に位置する左右の角部にはそれぞれ上方へ突出された立上部１４、１４が設けられている（図４及び図５参照）。立上部１４、１４は前側壁部８の左端部から左側壁部１０の前端部に亘る部分と前側壁部８の右端部から右側壁部１１の前端部に亘る部分とに設けられている。
【００７５】
立上部１４、１４の上側には押さえ面部１５、１５が設けられている。押さえ面部１５は立上部１４の上端部における両端部間に架け渡されるように設けられている。
【００７６】
ロック片部７はベース板部５の右側縁の前後方向における中央部から右方へ突出されている。ロック片部７は前後に延びるヒンジ部１６によってベース板部５に連結され、ヒンジ部１６を支点としてベース板部５に対して回動可能とされている。ヒンジ部１６は薄肉ヒンジである。
【００７７】
ロック片部７は平板状の基面部１７と基面部１７の一方の面、即ち、カートリッジ収納ケース１の開放時に上方を向く面に設けられた補強リブ１８とを有している。ロック片部７には基面部１７の一方の面側に補強リブ１８の一部に連続して係合突部１９が設けられている。係合突部１９は前後に延びるように形成されている。係合突部１９と基面部１７の間には一方に開口された凹部が形成され、この凹部が係合凹部１９ａとして形成されている（図６参照）。
【００７８】
蓋部３は上下方向を向く閉塞面部２０と閉塞面部２０の外周寄りの部分から上方へ突出された囲い壁部２１とを有している（図４参照）。
【００７９】
閉塞面部２０の内面、即ち、蓋部３が開放された状態における上面には押さえ突部２０ａ、２０ａが左右に離隔して設けられている。押さえ突部２０ａ、２０ａは閉塞面部２０の後端寄りの位置に設けられている。
【００８０】
囲い壁部２１は前面部２２と後面部２３と側面部２４から成り、略コ字状に形成されている。側面部２４は閉塞面部２０における背板部４側と反対の端部寄りの部分から突出されている。
【００８１】
側面部２４は、前後両側の部分が他の部分より内側に位置された凹状部２５、２５として設けられ、凹状部２５、２５の間の部分が凹状部２５、２５より外側に位置された突状部２６として設けられている。凹状部２５、２５の内面にはそれぞれ係止突部２５ａ、２５ａが設けられている。突状部２６の外面には係合突部２７が設けられている。係合突部２７は前後に延びるように形成されている。係合突部２７と突状部２６の間には一方に開口された凹部が形成され、この凹部が係合凹部２７ａとして形成されている（図７参照）。
【００８２】
背板部４は前後に長い略長方形状に形成され、短手方向（左右方向）における両端部がそれぞれケース部２のベース板部５と蓋部３の閉塞面部２０とに連続されている（図４及び図８参照）。
【００８３】
背板部４は短手方向における両端部を除く部分が平板部２８として設けられ、短手方向における両端部がそれぞれ連結部２９、２９として設けられている。
【００８４】
平板部２８の内面における前後両端部にはそれぞれ短手方向に延びる浅い挿入凹部２８ａ、２８ａが形成されている。平板部２８の外面における前後両端部には外方へ僅かに突出された補強用突部２８ｂ、２８ｂが設けられている（図３参照）。平板部２８は補強用突部２８ｂ、２８ｂが設けられた部分が他の部分に対して僅かに厚みが厚くされている。
【００８５】
連結部２９、２９はそれぞれベース板部５の一端部と閉塞面部２０の一端部に連続されベース板部５と閉塞面部２０に対して直交する方向へ突出されている（図８参照）。連結部２９、２９の外面は円弧面状の曲面部２９ａ、２９ａとして形成されている。
【００８６】
このように連結部２９、２９がベース板部５と閉塞面部２０に対して直交する方向へ突出されているため、背板部４の平板部２８はベース板部５及び閉塞面部２０と同一平面上には存在せず、ベース板部５と閉塞面部２０から変位した位置に存在する。
【００８７】
背板部４は平板部２８と連結部２９、２９がそれぞれ薄肉ヒンジ３０、３０によって連結されている。従って、薄肉ヒンジ３０、３０は背板部４の短手方向における両端寄りの位置に形成され、一方の薄肉ヒンジ３０は背板部４とケース部２のベース板部５との連続部分（稜線）に対して平行にずれた位置に形成され、他方の薄肉ヒンジ３０は背板部４と蓋部５の閉塞面部２０との連続部分（稜線）に対して平行にずれた位置に形成されている。尚、薄肉ヒンジ３０、３０は連続部分に対してずれた位置に形成されていればよく、平行にずれていなくてもよい。
【００８８】
背板部４は平板部２８と連結部２９、２９が薄肉ヒンジ３０、３０を支点として相対的に回動可能とされている（図９参照）。
【００８９】
背板部４の前後両端部には薄肉ヒンジ３０、３０の延長線上に前方又は後方に開口された切欠部４ａ、４ａ、・・・が形成されている（図４及び図５参照）。
【００９０】
［カートリッジのカートリッジ収納ケースに対する収納動作］
次いで、カートリッジ５０のカートリッジ収納ケース１に対する収納動作について説明する（図１０乃至図１５参照）。
【００９１】
先ず、カートリッジ収納ケース１が、例えば、机等の載置面に載置され又は手で把持された状態で開放状態にされる（図１０参照）。開放状態においては、ケース部２と背板部４と蓋部３が順に左右方向に並ぶように位置される。
【００９２】
次に、カートリッジ収納ケース１の開放状態においてカートリッジ５０がケース部２の後方における稍上方からケース部２に挿入されて配置される（図１１及び図１２参照）。このときカートリッジ５０に形成された把持部５２、５２にそれぞれケース部２に設けられた誤挿入防止突部１０ｂ、１１ｂが挿入され、カートリッジ５０がケース部２に適正な向きで挿入されたことが判別される。
【００９３】
尚、カートリッジ５０のケース部２への挿入時に、把持部５２、５２に誤挿入防止突部１０ｂ、１１ｂが挿入されなかった場合には、カートリッジ５０がケース部２に不適正な向きで挿入されたことが判別され、カートリッジ５０の向きを変更して、再度、カートリッジ５０の挿入を行うことにより、カートリッジ５０をケース部２に適正な向きで配置することができる。
【００９４】
カートリッジ５０がケース部２に配置された状態においては、上記したように、第１の弾性変形部１２の受部１２ａと後側壁部９の間の距離Ｌ１がケース体５１の前後方向における幅Ｈ１より僅かに小さくされているため、第１の弾性変形部１２は弾性変形されて受部１２ａがケース体５１の前面５１ａに押し付けられ、ケース体５１は後面５１ｂがケース部２の後側壁部９に押し付けられる（図１３参照）。
【００９５】
従って、カートリッジ５０はケース部２に前後方向においてガタつくことなく安定した状態で配置され、カートリッジ収納ケース１の内部におけるカートリッジ５０の変位が抑制され、ケース部２の立壁部６にカートリッジ５０から振動や衝撃が付与され難く、カートリッジ収納ケース１の破損や損傷を防止することができる。
【００９６】
また、カートリッジ５０がケース部２に配置された状態においては、上記したように、第２の弾性変形部１３、１３の受部１３ａ、１３ａ間の距離Ｌ２がケース体５１の左右方向における幅Ｈ２より僅かに小さくされているため、第２の弾性変形部１３、１３は弾性変形されて受部１３ａ、１３ａがそれぞれケース体５１の側面５１ｃ、５１ｃに押し付けられる（図１４参照）。
【００９７】
従って、カートリッジ５０はケース部２に左右方向においてガタつくことなく安定した状態で配置され、カートリッジ収納ケース１の内部におけるカートリッジ５０の変位が抑制され、ケース部２の立壁部６にカートリッジ５０から振動や衝撃が付与され難く、カートリッジ収納ケース１の破損や損傷を防止することができる。
【００９８】
また、カートリッジ５０は第１の弾性変形部１２によって前後方向から押さえられると共に第２の弾性変形部１３、１３によって左右方向から押さえられるため、ケース部２に前後方向及び左右方向においてガタつくことなく一層安定した状態で配置される。従って、カートリッジ収納ケース１の内部におけるカートリッジ５０の変位が抑制され、ケース部２の立壁部６にカートリッジ５０から振動や衝撃が付与され難く、カートリッジ収納ケース１の破損や損傷を防止することができる。
【００９９】
さらに、カートリッジ５０がケース部２に配置された状態においては、カートリッジ５０は上面５１ｄの前端部における左右両端部がそれぞれ押さえ面部１５、１５によって上方から押さえられる。
【０１００】
従って、カートリッジ５０はケース部２に上下方向において押さえられるため、ケース部２において安定した状態で配置され、カートリッジ収納ケース１の内部におけるカートリッジ５０の変位が抑制され、カートリッジ収納ケース１の破損や損傷を防止することができる。
【０１０１】
次いで、上記のようにカートリッジ５０がケース部２に配置された状態において、ケース部２に対して背板部４を一方の薄肉ヒンジ３０を支点として回動させると共に背板部４に対して蓋部３を他方の薄肉ヒンジ３０を支点として回動させることにより、蓋部３によってカートリッジ５０が閉塞される（図１５及び図１６参照）。
【０１０２】
蓋部３によってカートリッジ５０が閉塞された状態においては、蓋部３における囲い壁部２１の先端部がケース部２の外周部に形成された挿入凹部５ｂと背板部４に形成された挿入凹部２８ａ、２８ａとに挿入される。このとき囲い壁部２１の先端部の一部が右側壁部１１の膨出部１１ａとベース板部５のリブ部５ａとの間に挿入されて嵌合される（図１６参照）。
【０１０３】
従って、蓋部３のケース部２に対する良好な閉塞状態が確保されると共に蓋部３の側面部２４がケース部２の右側壁部１１に厚み方向において接した状態とされるため、カートリッジ収納ケース１の剛性が高く、カートリッジ収納ケース１に衝撃が付与されたときに衝撃による変形が抑制され耐衝撃性の向上を図ることができる。
【０１０４】
また、蓋部３によってカートリッジ５０が閉塞された状態においては、蓋部３の側面部２４に設けられた係止突部２５ａ、２５ａがそれぞれケース部２の右側壁部１１に形成された係止凹部１１ｃ、１１ｃに係止される。同時に、カートリッジ５０は上面５１ｄの後端寄りの部分がそれぞれ蓋部３の押さえ突部２０ａ、２０ａによって上方から押さえられる。
【０１０５】
従って、カートリッジ５０はケース部２に上下方向において押さえられるため、ケース部２において安定した状態で配置され、カートリッジ収納ケース１の内部におけるカートリッジ５０の変位が抑制され、カートリッジ収納ケース１の破損や損傷を防止することができる。
【０１０６】
最後に、ロック片部７がヒンジ部１６を支点としてベース板部５に対して回動されることにより、ロック片部７の係合突部１９が蓋部３の係合凹部２７ａに係合されて蓋部３がケース部２にロックされる（図１７参照）。
【０１０７】
このようにカートリッジ収納ケース１にあっては、ロック片部７によって蓋部３がケース部２にロックされるため、落下衝撃等によって蓋部３が容易に開放されることがなく、カートリッジ収納ケース１の耐衝撃性の向上を図ることができる。
【０１０８】
蓋部３がケース部２にロックされた状態においては、ロック片部７の係合突部１９が蓋部３の係合凹部２７ａに係合されると共にロック片部７の係合凹部１９ａに蓋部３の係合突部２７が係合される。
【０１０９】
カートリッジ収納ケース１に収納されたカートリッジ５０の外部への取出は、ロック片部７をヒンジ部１６を支点として回動させて係合突部１９の係合凹部２７ａに対する係合を解除し、次いで、蓋部３と背板部４をそれぞれ薄肉ヒンジ３０、３０を支点として回動させてカートリッジ５０を開放し、カートリッジ５０をケース部２から後方稍上側へ引き出すことにより行うことができる。
【０１１０】
［カートリッジ収納ケースの他の例］
上記には、薄肉ヒンジ３０、３０が背板部４に形成された例を示したが、薄肉ヒンジ３０、３０はそれぞれケース部２と蓋部３における背板部４側の各端部に形成されていてもよい（図１８参照）。従って、一方の薄肉ヒンジ３０は背板部４とケース部２のベース板部５との連続部分（稜線）に対してずれた位置に形成され、他方の薄肉ヒンジ３０は背板部４と蓋部５の閉塞面部２０との連続部分（稜線）に対してずれた位置に形成されている。尚、薄肉ヒンジ３０、３０は連続部分に対してずれた位置に形成されていればよく、平行にずれていなくてもよい。
【０１１１】
また、カートリッジ収納ケース１にあっては、一方の薄肉ヒンジ３０が背板部４に形成され、他方の薄肉ヒンジ３０がケース部２又は蓋部３に形成されていてもよい。
【０１１２】
さらに、カートリッジ収納ケース１においては、蓋部３と背板部４が結合された状態、即ち、囲い壁部２１と背板部４が結合されて一体に形成されていてもよい（図１９参照）。
【０１１３】
この場合には背板部４又はケース部２に一つの薄肉ヒンジ３０を形成すればよく、薄肉ヒンジ３０は背板部４のケース部２側の一端寄りの位置又はケース部２の背板部４側の一端寄りの位置に形成される。
【０１１４】
また、上記には係合突部１９を有するロック片部７がケース部２に設けられ係合突部１９に係合される係合凹部２７ａが蓋部３に形成された例を示したが、逆に、蓋部に係合突部を有するロック片部が設けられロック片部の係合突部に係合される係合凹部がケース部に形成されていてもよい。
【０１１５】
［カートリッジ収納ケースの耐衝撃性］
上記のように構成されたカートリッジ収納ケース１において、落下等によりカートリッジ収納ケース１に衝撃が付与される場合があるが、カートリッジ収納ケース１が落下した場合にはケース部２と背板部４の連続部分である角部又は蓋部３と背板部４の連続部分である角部が落下面２００に衝突し易い（図２０参照）。
【０１１６】
従って、薄肉ヒンジ３０、３０が落下面２００に衝突し難く、薄肉ヒンジ３０、３０に衝撃が付与され難いため、薄肉ヒンジ３０、３０の破損や断裂を生じ難く、耐衝撃性の向上を図ることができる。
【０１１７】
また、カートリッジ収納ケース１には背板部４の外面における前後両端部にそれぞれ補強用突部２８ｂ、２８ｂが設けられているため、薄肉ヒンジ３０、３０が落下面２００に衝突し難く、薄肉ヒンジ３０、３０の損傷や断裂の発生を抑制することができる。
【０１１８】
さらに、カートリッジ収納ケース１には背板部４における薄肉ヒンジ３０、３０の延長線上に切欠部４ａ、４ａ、・・・が形成されている。従って、カートリッジ収納ケース１の落下時に背板部４の前後両端（稜線）が落下面２００に衝突した場合（図２１参照）においても薄肉ヒンジ３０、３０が落下面２００に衝突することがなく、薄肉ヒンジ３０、３０の損傷や断裂の発生を抑制することができる。
【０１１９】
尚、上記したように、薄肉ヒンジ３０、３０はケース部２、蓋部３又は背板部４の何れの部分にも形成することが可能であるが、背板部４は開放状態及び閉塞状態の何れの状態においても机等の載置面に接触しない。
【０１２０】
従って、薄肉ヒンジ３０、３０が背板部４に形成された場合には、薄肉ヒンジ３０、３０が載置面に接触することがなく、その分、薄肉ヒンジ３０、３０に衝撃が付与され難く、薄肉ヒンジ３０、３０の破損や断裂を生じ難く、特に、耐衝撃性の向上を図ることができる。
【０１２１】
［本技術］
本技術は、以下のような構成にすることもできる。
【０１２２】
（１）
カートリッジが挿入されて配置されるケース部と、
前記ケース部に対して開閉され閉塞時において前記ケース部に配置された前記カートリッジを覆う蓋部と、
前記ケース部と前記蓋部を連結する背板部とを備え、
前記ケース部と前記蓋部と前記背板部が一体に形成され、
前記蓋部の前記ケース部に対する開閉動作が行われるときの屈曲部分として平行な一対の薄肉ヒンジが設けられ、
一方の前記薄肉ヒンジが前記背板部と前記ケース部の連続部分に対してずれた位置に形成され、
他方の前記薄肉ヒンジが前記背板部と前記蓋部の連続部分に対してずれた位置に形成された
カートリッジ収納ケース。
【０１２３】
（２）
前記一対の薄肉ヒンジが前記背板部に形成された
前記（１）に記載のカートリッジ収納ケース。
【０１２４】
（３）
前記背板部の外面における一対の薄肉ヒンジが延びる方向の両端部に、それぞれ外方へ突出された補強用突部が設けられた
前記（２）に記載のカートリッジ収納ケース。
【０１２５】
（４）
前記背板部における一対の薄肉ヒンジが延びる方向の両端部に、それぞれ薄肉ヒンジの延長線上に位置する切欠部が形成された
前記（２）又は前記（３）に記載のカートリッジ収納ケース。
【０１２６】
（５）
前記ケース部に、ベース板部と前記ベース板部の外周寄りの部分の少なくとも一部から突出された立壁部と前記ベース板部の外周部の一部から前記立壁部と同じ方向へ突出されたリブ部とが設けられ、
前記蓋部に、前記閉塞時において前記ベース板部に対向して位置される閉塞面部と前記閉塞面部の外周部の少なくとも一部から突出された囲い壁部とが設けられ、
前記閉塞時において前記立壁部と前記リブ部の間に前記囲い壁部が嵌合されるようにした
前記（１）から前記（４）の何れかに記載のカートリッジ収納ケース。
【０１２７】
（６）
前記ケース部又は前記蓋部の一方に係合突部又は係合凹部を有するロック片部が設けられ、
前記ケース部又は前記蓋部の他方に前記閉塞時において前記係合突部又は前記係合凹部が係合される係合凹部又は係合突部が設けられた
前記（１）から前記（５）の何れかに記載のカートリッジ収納ケース。
【０１２８】
（７）
前記ケース部に、弾性変形された状態で前記カートリッジを押さえる弾性変形部が設けられた
前記（１）から前記（６）の何れかに記載のカートリッジ収納ケース。
【０１２９】
（８）
前記弾性変形部が少なくとも三つ設けられ、
前記カートリッジの外周面における異なる方向を向く面が前記各弾性変形部によって押さえられるようにした
前記（１）に記載のカートリッジ収納ケース。
【０１３０】
（９）
前記ケース部に、ベース板部と前記ベース板部の外周寄りの部分の少なくとも一部から突出された立壁部と前記立壁部に連続され前記ベース板部に対向する押さえ面部とが設けられ、
前記カートリッジが前記押さえ面部によって前記ベース板部側に押さえられるようにした
前記（１）から前記（９）の何れかに記載のカートリッジ収納ケース。
【０１３１】
（１０）
前記ケース部にベース板部が設けられ、
前記蓋部に前記閉塞時において前記ベース板部に対向して位置される閉塞面部が設けられ、
前記閉塞面部に前記閉塞時において前記カートリッジを押さえる押さえ突部が設けられた
前記（１）から前記（９）の何れかに記載のカートリッジ収納ケース。
【０１３２】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【符号の説明】
【０１３３】
１…カートリッジ収納ケース、２…ケース部、３…蓋部、４…背板部、４ａ…切欠部、５…ベース板部、５ａ…リブ部、６…立壁部、７…ロック片部、１２…第１の弾性変形部、１３…第２の弾性変形部、１５…押さえ面部、１９…係合突部、１９ａ…係合凹部、２０…閉塞面部、２０ａ…押さえ突部、２１…囲い壁部、２７…係合突部、２７ａ…係合凹部、２８ｂ…補強用突部、３０…薄肉ヒンジ、５０…カートリッジ
【図１】
2014097817.tif 000003
【図２】
2014097817.tif 000004
【図３】
2014097817.tif 000005
【図４】
2014097817.tif 000006
【図５】
2014097817.tif 000007
【図６】
2014097817.tif 000008
【図７】
2014097817.tif 000009
【図８】
2014097817.tif 000010
【図９】
2014097817.tif 000011
【図１０】
2014097817.tif 000012
【図１１】
2014097817.tif 000013
【図１２】
2014097817.tif 000014
【図１３】
2014097817.tif 000015
【図１４】
2014097817.tif 000016
【図１５】
2014097817.tif 000017
【図１６】
2014097817.tif 000018
【図１７】
2014097817.tif 000019
【図１８】
2014097817.tif 000020
【図１９】
2014097817.tif 000021
【図２０】
2014097817.tif 000022
【図２１】
2014097817.tif 000023